(57)【要約】【課題】ＩＰ機器のＭＡＣアドレスを調査するなどの事前準備を行うことなく、ＩＰ機器に対するネットワークプロファイルを自動的に設定することができるようにする。【解決手段】ＩＰ機器１が接続されたポートのポート番号を照会するポート番号照会部１３ｂと、プロファイル記憶部１１に記憶されているポート番号別のネットワークプロファイルのうち、ポート番号照会部１３ｂにより照会されたポート番号に対応するネットワークプロファイルを取得するプロファイル取得部１２ｄとを設け、プロファイル設定応答発行部１３ｃがプロファイル取得部１２ｄにより取得されたネットワークプロファイルをＩＰ機器１に設定する。【選択図】図１
2010068110.tif 000002
【特許請求の範囲】
【請求項１】
ＩＰネットワークの接続に必要なネットワークプロファイルをポート番号別に記憶しているプロファイル記憶手段と、いずれかのポートに接続されたＩＰ機器からネットワークプロファイルの設定要求を受信する設定要求受信手段と、上記設定要求受信手段によりネットワークプロファイルの設定要求が受信されると、上記ＩＰ機器が接続されたポートのポート番号を照会するポート番号照会手段と、上記プロファイル記憶手段に記憶されているネットワークプロファイルのうち、上記ポート番号照会手段により照会されたポート番号に対応するネットワークプロファイルを取得するプロファイル取得手段と、上記プロファイル取得手段により取得されたネットワークプロファイルを上記ＩＰ機器に設定するプロファイル設定手段とを備えたネットワーク装置。
【請求項２】
プロファイル記憶手段によりネットワークプロファイルがＩＰ機器の種類別に記憶されており、設定要求受信手段によりＩＰ機器からネットワークプロファイルの設定要求のほかに、機器の種類を示す属性情報が受信された場合、プロファイル取得手段が上記プロファイル記憶手段に記憶されているネットワークプロファイルのうち、ポート番号照会手段により照会されたポート番号に対応し、かつ、上記属性情報が示す機器の種類に対応するネットワークプロファイルを取得することを特徴とする請求項１記載のネットワーク装置。
【請求項３】
ＩＰネットワークを構築するネットワーク装置と、上記ネットワーク装置により構築されるＩＰネットワークに接続されるＩＰ機器とから構成されるネットワークシステムにおいて、上記ネットワーク装置が、上記ＩＰネットワークの接続に必要なネットワークプロファイルをポート番号別に記憶しているプロファイル記憶手段と、いずれかのポートに接続されたＩＰ機器からネットワークプロファイルの設定要求を受信する設定要求受信手段と、上記設定要求受信手段によりネットワークプロファイルの設定要求が受信されると、上記ＩＰ機器が接続されたポートのポート番号を照会するポート番号照会手段と、上記プロファイル記憶手段に記憶されているネットワークプロファイルのうち、上記ポート番号照会手段により照会されたポート番号に対応するネットワークプロファイルを取得するプロファイル取得手段と、上記プロファイル取得手段により取得されたネットワークプロファイルを上記ＩＰ機器に設定するプロファイル設定手段とを備えていることを特徴とするネットワークシステム。
【請求項４】
ＩＰネットワークを構築する第１のネットワーク装置と、上記第１のネットワーク装置に接続される第２のネットワーク装置と、上記第１及び第２のネットワーク装置により構築されるＩＰネットワークに接続されるＩＰ機器とから構成されるネットワークシステムにおいて、上記第１のネットワーク装置が、上記ＩＰネットワークの接続に必要なネットワークプロファイルをポート番号別に記憶しているプロファイル記憶手段を備え、上記第２のネットワーク装置が、上記第１のネットワーク装置のプロファイル記憶手段に記憶されているポート番号別のネットワークプロファイルを収集するプロファイル収集手段と、いずれかのポートに接続されたＩＰ機器からネットワークプロファイルの設定要求を受信する設定要求受信手段と、上記設定要求受信手段によりネットワークプロファイルの設定要求が受信されると、上記ＩＰ機器が接続されたポートのポート番号を照会するポート番号照会手段と、上記プロファイル収集手段により収集されたネットワークプロファイルのうち、上記ポート番号照会手段により照会されたポート番号に対応するネットワークプロファイルを取得するプロファイル取得手段と、上記プロファイル取得手段により取得されたネットワークプロファイルを上記ＩＰ機器に設定するプロファイル設定手段とを備えていることを特徴とするネットワークシステム。
【請求項５】
ＩＰネットワークを構築する第１のネットワーク装置と、上記第１のネットワーク装置に接続される第２のネットワーク装置と、上記第１及び第２のネットワーク装置により構築されるＩＰネットワークに接続されるＩＰ機器とから構成されるネットワークシステムにおいて、上記第１のネットワーク装置が、上記ＩＰネットワークの接続に必要なネットワークプロファイルをポート番号別に記憶しているプロファイル記憶手段を備え、上記第２のネットワーク装置が、いずれかのポートに接続されたＩＰ機器からネットワークプロファイルの設定要求を受信する設定要求受信手段と、上記設定要求受信手段によりネットワークプロファイルの設定要求が受信されると、上記ＩＰ機器が接続されたポートのポート番号を照会するポート番号照会手段とを備え、上記第１のネットワーク装置が、上記プロファイル記憶手段に記憶されているネットワークプロファイルのうち、上記第２のネットワーク装置のポート番号照会手段により照会されたポート番号に対応するネットワークプロファイルを取得するプロファイル取得手段を備え、上記第２のネットワーク装置が、上記第１のネットワーク装置のプロファイル取得手段により取得されたネットワークプロファイルを上記ＩＰ機器に設定するプロファイル設定手段を備えていることを特徴とするネットワークシステム。
【請求項６】
プロファイル記憶手段によりネットワークプロファイルがＩＰ機器の種類別に記憶されており、設定要求受信手段によりＩＰ機器からネットワークプロファイルの設定要求のほかに、機器の種類を示す属性情報が受信された場合、プロファイル取得手段が上記プロファイル記憶手段に記憶されているネットワークプロファイルのうち、ポート番号照会手段により照会されたポート番号に対応し、かつ、上記属性情報が示す機器の種類に対応するネットワークプロファイルを取得することを特徴とする請求項３から請求項５のうちのいずれか１項記載のネットワークシステム。
【発明の詳細な説明】
【技術分野】
【０００１】
この発明は、ＩＰネットワークの接続に必要なネットワークプロファイルをＩＰ機器に設定するネットワーク装置及びネットワークシステムに関するものである。
【背景技術】
【０００２】
ＩＰネットワークをベースとするＩＰ機器をＩＰネットワークに接続する場合、通常、ＩＰアドレスやネットワークマスクなどのネットワークパラメータをＩＰ機器に設定する必要がある。
また、ＩＰ機器の種類毎に動作に必要なパラメータが異なるため、機種毎の個別パラメータも適切にＩＰ機器に設定する必要がある。
以下、上記のネットワークパラメータと、機種毎の個別パラメータを含めて、ネットワークプロファイルと定義する。
【０００３】
ＩＰ機器に対するネットワークプロファイルの設定方式として、最も単純な方式は、予め、ＩＰ機器毎にネットワークプロファイルを設定する方式である。
しかし、この方式では、ネットワークシステムが大規模化して、ＩＰ機器の台数が増加してしまうと、ネットワークプロファイルの設定や管理が複雑になるため、ネットワークシステムの運用管理コストが増大してしまう。
【０００４】
したがって、ネットワークシステムの大規模化に伴って、ＩＰ機器に対するネットワークプロファイルの設定の自動化が重要となる。
ネットワークプロファイルの設定の自動化に関する従来の方式として、“ＲＦＣ２１３１”に定められているＤＨＣＰ（Ｄｙｎａｍｉｃ  Ｈｏｓｔ  Ｃｏｎｆｉｇｕｒａｔｉｏｎ  Ｐｒｏｔｏｃｏｌ）が広く利用されている。
【０００５】
ＤＨＣＰでは、ＩＰネットワークをベースとするＩＰ機器にクライアント機能を実装し、また、ネットワーク装置（または、サーバ装置）にサーバ機能を実装し、ＩＰ機器がＩＰネットワークに接続されると、サーバ機能とクライアント機能間で通信を実施して、必要なネットワークプロファイルをＩＰ機器に自動的に設定するものである。
ただし、ＤＨＣＰは、ＩＰ機器のＭＡＣアドレスとネットワークプロファイルを管理しており、ネットワークプロファイルの設定の準備として、事前に接続するＩＰ機器のＭＡＣアドレスを調査して、ＩＰ機器のＭＡＣアドレスをサーバ側のネットワーク装置に登録する必要がある。
なお、ＩＰ機器の故障により、ＩＰ機器を交換する必要がある場合には、ＭＡＣアドレスが変更になるため、再度、新たに接続するＩＰ機器のＭＡＣアドレスを調査して、そのＭＡＣアドレスをサーバ側のネットワーク装置に登録する必要がある。
【０００６】
【非特許文献１】インターネット規格の報告書“ＲＦＣ２１３１”
【発明の開示】
【発明が解決しようとする課題】
【０００７】
従来のネットワークシステムは以上のように構成されているので、事前に接続するＩＰ機器のＭＡＣアドレスを調査して、ＩＰ機器のＭＡＣアドレスをサーバ側のネットワーク装置に登録すれば、ＩＰ機器に対するネットワークプロファイルを自動的に設定することができる。しかし、ＩＰ機器の接続時や故障交換時にＭＡＣアドレスを調査するなどの事前準備が必要であり、運用管理コストが増大してしまうなどの課題があった。
【０００８】
この発明は上記のような課題を解決するためになされたもので、ＩＰ機器のＭＡＣアドレスを調査するなどの事前準備を行うことなく、ＩＰ機器に対するネットワークプロファイルを自動的に設定することができるネットワーク装置及びネットワークシステムを得ることを目的とする。
【課題を解決するための手段】
【０００９】
この発明に係るネットワーク装置は、設定要求受信手段によりネットワークプロファイルの設定要求が受信されると、ＩＰ機器が接続されたポートのポート番号を照会するポート番号照会手段と、プロファイル記憶手段に記憶されているポート番号別のネットワークプロファイルのうち、ポート番号照会手段により照会されたポート番号に対応するネットワークプロファイルを取得するプロファイル取得手段とを設け、プロファイル設定手段がプロファイル取得手段により取得されたネットワークプロファイルをＩＰ機器に設定するようにしたものである。
【発明の効果】
【００１０】
この発明によれば、設定要求受信手段によりネットワークプロファイルの設定要求が受信されると、ＩＰ機器が接続されたポートのポート番号を照会するポート番号照会手段と、プロファイル記憶手段に記憶されているポート番号別のネットワークプロファイルのうち、ポート番号照会手段により照会されたポート番号に対応するネットワークプロファイルを取得するプロファイル取得手段とを設け、プロファイル設定手段がプロファイル取得手段により取得されたネットワークプロファイルをＩＰ機器に設定するように構成したので、ＩＰ機器のＭＡＣアドレスを調査するなどの事前準備を行うことなく、ＩＰ機器に対するネットワークプロファイルを自動的に設定することができる効果がある。
【発明を実施するための最良の形態】
【００１１】
実施の形態１．
図１はこの発明の実施の形態１によるネットワークシステムを示す構成図である。
図１において、ＩＰ機器１はＩＰネットワークをベースとする機器であり、ネットワーク装置２によりネットワークプロファイルが自動的に設定されてＩＰネットワークに接続される。
図１では、２台のＩＰ機器１（＃１，＃２）が接続されている例を示しているが、１台のＩＰ機器１が接続されていてもよいし、３台以上のＩＰ機器１が接続されていてもよい。
ネットワーク装置２はＩＰ機器１がネットワークケーブル経由でいずれかのポートに接続されると、ネットワークプロファイルをＩＰ機器１に設定して、ＩＰネットワークを構築する装置である。
【００１２】
図２はこの発明の実施の形態１によるネットワーク装置２を示す構成図である。
図２において、プロファイル記憶部１１はＩＰネットワークの接続に必要なネットワークプロファイルをポート番号別に記憶しているメモリである。なお、プロファイル記憶部１１はプロファイル記憶手段を構成している。
プロファイル制御部１２はプロファイル記憶部１１に記憶されているネットワークプロファイルを内部テーブル１２ｂに展開するプロファイル展開部１２ａを備えているほか、ポート番号照会要求部１２ｃ、プロファイル取得部１２ｄ及びプロファイル設定応答作成部１２ｅを備えている。
ネットワーク制御部１３はＩＰネットワークに対するネットワークインタフェースであり、設定要求受信部１３ａ、ポート番号照会部１３ｂ及びプロファイル設定応答発行部１３ｃを備えている。
【００１３】
ネットワーク制御部１３の設定要求受信部１３ａはいずれかのポートに接続されたＩＰ機器１からネットワークプロファイルの設定要求を受信し、そのネットワークプロファイルの設定要求をプロファイル制御部１２に出力する処理を実施する。なお、設定要求受信部１３ａは設定要求受信手段を構成している。
【００１４】
プロファイル制御部１２のポート番号照会要求部１２ｃはネットワーク制御部１３からネットワークプロファイルの設定要求を受けると、ＩＰ機器１が接続されたポートのポート番号の照会要求をネットワーク制御部１３に出力する処理を実施する。
ネットワーク制御部１３のポート番号照会部１３ｂはプロファイル制御部１２からポート番号の照会要求を受けると、ＩＰ機器１が接続されたポートのポート番号をプロファイル制御部１２に照会する処理を実施する。
なお、ポート番号照会要求部１２ｃ及びポート番号照会部１３ｂからポート番号照会手段が構成されている。
【００１５】
プロファイル制御部１２のプロファイル取得部１２ｄは内部テーブル１２ｂに展開されているネットワークプロファイルのうち、ネットワーク制御部１３により照会されたポート番号に対応するネットワークプロファイルを取得する処理を実施する。なお、プロファイル取得部１２ｄはプロファイル取得手段を構成している。
プロファイル制御部１２のプロファイル設定応答作成部１２ｅはプロファイル取得部１２ｄにより取得されたネットワークプロファイルを示すプロファイル設定応答を作成する処理を実施する。
【００１６】
ネットワーク制御部１３のプロファイル設定応答発行部１３ｃはプロファイル制御部１２により作成されたプロファイル設定応答をＩＰ機器１に発行することにより、ネットワークプロファイルをＩＰ機器１に設定する処理を実施する。
なお、プロファイル設定応答作成部１２ｅ及びプロファイル設定応答発行部１３ｃからプロファイル設定手段が構成されている。
図３はこの発明の実施の形態１によるネットワークシステムの処理内容を示すフローチャートである。
【００１７】
次に動作について説明する。
ネットワーク装置２のプロファイル記憶部１１には、ＩＰネットワークの接続に必要なネットワークプロファイルがポート番号別に記憶されている。
図４はプロファイル記憶部１１に記憶されているポート番号別のネットワークプロファイルの一例を示す説明図である。
図４の例では、ＩＰアドレスとネットマスクからなるネットワークプロファイルがポート番号別に示されている。
例えば、ＩＰ機器＃１がポート番号１のポートに接続される場合、ＩＰ機器＃１には、ネットワークプロファイルとして、「ＩＰアドレス：１９２．１６８．１．１０」、「ネットマスク：２５５．２５５．２５５．０」が設定される。
【００１８】
まず、ネットワーク装置２が起動すると、プロファイル制御部１２のプロファイル展開部１２ａが、プロファイル記憶部１１に記憶されている図４のネットワークプロファイルを内部テーブル１２ｂに展開する（ステップＳＴ１）。
このとき、プロファイル展開部１２ａは、プロファイル制御部１２のネットワークインタフェース機能に対して、ＩＰアドレス「１９２．１６８．１．１」を指定する。
【００１９】
次に、いずれかのＩＰ機器１がネットワーク装置２のいずれかのポートに接続されると（ここでは、説明の便宜上、ＩＰ機器＃１がポート番号１のポートに接続されるものとする）、ＩＰ機器＃１がＩＰネットワークのリンクを確立する（ステップＳＴ２）。
ＩＰ機器＃１は、ＩＰネットワークのリンクを確立すると、ブロードキャスト形式でネットワークプロファイルの設定要求を発行する（ステップＳＴ３）。
【００２０】
ネットワーク制御部１３の設定要求受信部１３ａは、ネットワーク装置２のポートに接続されたＩＰ機器＃１からネットワークプロファイルの設定要求を受信すると、そのネットワークプロファイルの設定要求をプロファイル制御部１２にブロードキャストする。
プロファイル制御部１２のポート番号照会要求部１２ｃは、設定要求受信部１３ａからネットワークプロファイルの設定要求を受けると、ＩＰ機器＃１が接続されたポートのポート番号の照会要求をネットワーク制御部１３に出力する。
【００２１】
ネットワーク制御部１３のポート番号照会部１３ｂは、ポート番号照会要求部１２ｃからポート番号の照会要求を受けると、ＩＰ機器＃１が接続されたポートのポート番号をプロファイル制御部１２に照会する（ステップＳＴ４）。
この実施の形態１では、ＩＰ機器＃１がポート番号１のポートに接続されているので、“ポート番号１”をプロファイル制御部１２に照会する。
【００２２】
プロファイル制御部１２のプロファイル取得部１２ｄは、ポート番号照会部１３ｂから“ポート番号１”の照会を受けると、内部テーブル１２ｂに展開されている図４のネットワークプロファイルのうち、ネットワーク制御部１３により照会された“ポート番号１”に対応するネットワークプロファイルを取得する（ステップＳＴ５）。
この実施の形態１では、ＩＰ機器＃１がポート番号１のポートに接続されているので、ネットワークプロファイルとして、「ＩＰアドレス：１９２．１６８．１．１０」、「ネットマスク：２５５．２５５．２５５．０」を取得する。
【００２３】
プロファイル制御部１２のプロファイル設定応答作成部１２ｅは、プロファイル取得部１２ｄがネットワークプロファイルを取得すると、そのネットワークプロファイルを示すプロファイル設定応答を作成し、そのプロファイル設定応答をネットワーク制御部１３に出力する（ステップＳＴ６）。
【００２４】
ネットワーク制御部１３のプロファイル設定応答発行部１３ｃは、プロファイル設定応答作成部１２ｅからプロファイル設定応答を受けると、そのプロファイル設定応答をポート番号１のポートに接続されたＩＰ機器＃１に発行する（ステップＳＴ７）。
ＩＰ機器＃１は、ネットワーク制御部１３のプロファイル設定応答発行部１３ｃにより発行されたプロファイル設定応答を受信すると、そのプロファイル設定応答が示すネットワークプロファイルを設定する（ステップＳＴ８）。
この実施の形態１では、ネットワークプロファイルとして、「ＩＰアドレス：１９２．１６８．１．１０」、「ネットマスク：２５５．２５５．２５５．０」がＩＰ機器＃１に設定される。
【００２５】
この実施の形態１では、ＩＰ機器１に設定されるネットワークプロファイルがポート番号毎に管理されるため、故障などが原因で、ネットワーク装置２の同一のポートに接続されるＩＰ機器１が交換される場合でも、そのポートに対応する同一のネットワークプロファイルが自動的に設定される。
【００２６】
ここで、図５はＩＰ機器＃１から発行されるネットワークプロファイルの設定要求の一例を示す説明図である。
図５において、送信元ＩＰアドレスは、ネットワークプロファイルの設定要求が発行される段階では未設定のため「０．０．０．０」である。
送信先ＩＰアドレスは、ネットワークプロファイルの設定要求がブロードキャストされるため「２５５．２５５．２５５．２５５」である。
送信内容は、ネットワークプロファイルの設定要求であることを示す「ＰＲＯＦＩＬＥ＿ＲＥＱ」であり、ＵＤＰ形式でブロードキャスト通信される。
【００２７】
図６はネットワーク制御部１３のプロファイル設定応答発行部１３ｃから発行されるプロファイル設定応答の一例を示す説明図である。
図６において、送信元ＩＰアドレスは、ネットワーク装置２のプロファイル制御部１２に設定されたＩＰアドレス「１９２．１６８．１．１」である。
送信先ＩＰアドレスは、ＩＰ機器＃１に設定するＩＰアドレス「１９２．１６８．１．１０」である。
送信内容は、プロファイル設定応答であることを示す「ＰＲＯＦＩＬＥ＿ＲＥＰ」と、ネットワークプロファイル「ＩＰ＝１９２．１６８．１．１０  ＭＡＳＫ＝２５５．２５５．２５５．０」とであり、ＵＤＰ形式でユニキャスト通信される。
【００２８】
ネットワークプロファイルの設定要求とプロファイル設定応答の発行が、いずれもＵＤＰ形式での通信を前提としているため、要求／応答パケットが正常に届かない場合が起こり得る。
その場合は、プロファイル自動設定処理が正常に完了しないため、手動設定又は再設定が必要となる。
【００２９】
以上で明らかなように、この実施の形態１によれば、設定要求受信部１３ａによりネットワークプロファイルの設定要求が受信されると、ＩＰ機器１が接続されたポートのポート番号を照会するポート番号照会部１３ｂと、プロファイル記憶部１１に記憶されているポート番号別のネットワークプロファイルのうち、ポート番号照会部１３ｂにより照会されたポート番号に対応するネットワークプロファイルを取得するプロファイル取得部１２ｄとを設け、プロファイル設定応答発行部１３ｃがプロファイル取得部１２ｄにより取得されたネットワークプロファイルをＩＰ機器１に設定するように構成したので、ＩＰ機器１のＭＡＣアドレスを調査するなどの事前準備を行うことなく、ＩＰ機器１に対するネットワークプロファイルを自動的に設定することができる効果を奏する。
【００３０】
実施の形態２．
図７はこの発明の実施の形態２によるネットワークシステムを示す構成図である。
図８はこの発明の実施の形態２によるネットワークシステムの処理内容を示すフローチャートである。
上記実施の形態１では、ＩＰ機器１がネットワークプロファイルの設定要求を発行する際、ＩＰ機器１の種類を示す属性情報については発行していないが、図７のＩＰ機器＃１，＃２は、ネットワークプロファイルの設定要求を発行する際、ＩＰ機器１の種類を示す属性情報を発行する。
即ち、ＩＰ機器＃１は、機器の種類が「ＣＡＭＥＲＡ」である旨を示す属性情報を発行し、ＩＰ機器＃２は、機器の種類が「ＶＩＥＷＥＲ」である旨を示す属性情報を発行する。
【００３１】
また、上記実施の形態１では、プロファイル記憶部１１によりネットワークプロファイルが記憶されているものについて示したが、この実施の形態２では、プロファイル記憶部１１によりＩＰ機器の種類別のネットワークプロファイルが記憶されているものとする。
図９はプロファイル記憶部１１に記憶されているＩＰ機器の種類別のネットワークプロファイルの一例を示す説明図である。
【００３２】
図９の例では、図４と同様に、ＩＰアドレスとネットマスクからなるネットワークプロファイルがポート番号別に示されている。
また、機器の種類が「ＣＡＭＥＲＡ」用のネットワークプロファイルと、機器の種類が「ＶＩＥＷＥＲ」用のネットワークプロファイルとが示されている。
例えば、機器の種類が「ＣＡＭＥＲＡ」であるＩＰ機器＃１がポート番号１のポートに接続される場合、ＩＰ機器＃１には、ネットワークプロファイルとして、「ＩＰアドレス：１９２．１６８．１．１０」、「ネットマスク：２５５．２５５．２５５．０」が設定され、また、「圧縮方式：ＪＰＥＧ」、「フレームレート：１５」、「伝送レート：３０００」が設定される。
また、機器の種類が「ＶＩＥＷＥＲ」であるＩＰ機器＃２がポート番号２のポートに接続される場合、ＩＰ機器＃２には、ネットワークプロファイルとして、「ＩＰアドレス：１９２．１６８．１．１１」、「ネットマスク：２５５．２５５．２５５．０」が設定され、また、「起動モード：４」が設定される。
【００３３】
次に動作について説明する。
まず、ネットワーク装置２が起動すると、プロファイル制御部１２のプロファイル展開部１２ａが、プロファイル記憶部１１に記憶されている図９のネットワークプロファイルを内部テーブル１２ｂに展開する（ステップＳＴ１１）。
このとき、プロファイル展開部１２ａは、プロファイル制御部１２のネットワークインタフェース機能に対して、ＩＰアドレス「１９２．１６８．１．１」を指定する。
【００３４】
次に、いずれかのＩＰ機器１がネットワーク装置２のいずれかのポートに接続されると（ここでは、説明の便宜上、ＩＰ機器＃１がポート番号１のポートに接続されるものとする）、ＩＰ機器＃１がＩＰネットワークのリンクを確立する（ステップＳＴ１２）。
ＩＰ機器＃１は、ＩＰネットワークのリンクを確立すると、ブロードキャスト形式でネットワークプロファイルの設定要求を発行するとともに、機器の種類が「ＣＡＭＥＲＡ」である旨を示す属性情報を発行する（ステップＳＴ１３）。
【００３５】
ネットワーク制御部１３の設定要求受信部１３ａは、ネットワーク装置２のポートに接続されたＩＰ機器＃１からネットワークプロファイルの設定要求と属性情報を受信すると、そのネットワークプロファイルの設定要求と属性情報をプロファイル制御部１２にブロードキャストする。
プロファイル制御部１２のポート番号照会要求部１２ｃは、設定要求受信部１３ａからネットワークプロファイルの設定要求を受けると、ＩＰ機器＃１が接続されたポートのポート番号の照会要求をネットワーク制御部１３に出力する。
【００３６】
ネットワーク制御部１３のポート番号照会部１３ｂは、ポート番号照会要求部１２ｃからポート番号の照会要求を受けると、ＩＰ機器＃１が接続されたポートのポート番号をプロファイル制御部１２に照会する（ステップＳＴ１４）。
この実施の形態１では、ＩＰ機器＃１がポート番号１のポートに接続されているので、“ポート番号１”をプロファイル制御部１２に照会する。
【００３７】
プロファイル制御部１２のプロファイル取得部１２ｄは、ポート番号照会部１３ｂから“ポート番号１”の照会を受けると、内部テーブル１２ｂに展開されている図９のネットワークプロファイルのうち、ネットワーク制御部１３により照会された“ポート番号１”に対応し、かつ、属性情報が示す機器の種類「ＣＡＭＥＲＡ」に対応するネットワークプロファイルを取得する（ステップＳＴ１５）。
この実施の形態１では、ＩＰ機器＃１がポート番号１のポートに接続されており、機器の種類が「ＣＡＭＥＲＡ」であるので、ネットワークプロファイルとして、「ＩＰアドレス：１９２．１６８．１．１０」、「ネットマスク：２５５．２５５．２５５．０」、「圧縮方式：ＪＰＥＧ」、「フレームレート：１５」、「伝送レート：３０００」を取得する。
【００３８】
プロファイル制御部１２のプロファイル設定応答作成部１２ｅは、プロファイル取得部１２ｄがネットワークプロファイルを取得すると、そのネットワークプロファイルを示すプロファイル設定応答を作成し、そのプロファイル設定応答をネットワーク制御部１３に出力する（ステップＳＴ１６）。
【００３９】
ネットワーク制御部１３のプロファイル設定応答発行部１３ｃは、プロファイル設定応答作成部１２ｅからプロファイル設定応答を受けると、そのプロファイル設定応答をポート番号１のポートに接続されたＩＰ機器＃１に発行する（ステップＳＴ１７）。
ＩＰ機器＃１は、ネットワーク制御部１３のプロファイル設定応答発行部１３ｃにより発行されたプロファイル設定応答を受信すると、そのプロファイル設定応答が示すネットワークプロファイルを設定する（ステップＳＴ１８）。
この実施の形態１では、ネットワークプロファイルとして、「ＩＰアドレス：１９２．１６８．１．１０」、「ネットマスク：２５５．２５５．２５５．０」、「圧縮方式：ＪＰＥＧ」、「フレームレート：１５」、「伝送レート：３０００」がＩＰ機器＃１に設定される。
【００４０】
この実施の形態２では、ＩＰ機器１に設定されるネットワークプロファイルがポート番号毎に管理されるため、故障などが原因で、ネットワーク装置２の同一のポートに接続されるＩＰ機器１が交換される場合でも、そのポートに対応する同一のネットワークプロファイルが自動的に設定される。
この実施の形態２では、ＩＰ機器１の種類に対応するネットワークプロファイルを設定しているが、ＩＰ機器１の種類を区別する代わりに、ＩＰ機器１の機種名を区別するようにしてもよい。
【００４１】
ここで、図１０はＩＰ機器＃１から発行されるネットワークプロファイルの設定要求の一例を示す説明図である。
図１０において、送信元ＩＰアドレスは、ネットワークプロファイルの設定要求が発行される段階では未設定のため「０．０．０．０」である。
送信先ＩＰアドレスは、ネットワークプロファイルの設定要求がブロードキャストされるため「２５５．２５５．２５５．２５５」である。
送信内容は、ネットワークプロファイルの設定要求であることを示す「ＰＲＯＦＩＬＥ＿ＲＥＱ」と、属性情報を示す「ＴＹＰＥ＝ＣＡＭＥＲＡ」とであり、ＵＤＰ形式でブロードキャスト通信される。
【００４２】
図１１はネットワーク制御部１３のプロファイル設定応答発行部１３ｃから発行されるプロファイル設定応答の一例を示す説明図である。
図１１において、送信元ＩＰアドレスは、ネットワーク装置２のプロファイル制御部１２に設定されたＩＰアドレス「１９２．１６８．１．１」である。
送信先ＩＰアドレスは、ＩＰ機器＃１に設定するＩＰアドレス「１９２．１６８．１．１０」である。
送信内容は、プロファイル設定応答であることを示す「ＰＲＯＦＩＬＥ＿ＲＥＰ」と、ネットワークプロファイル「ＩＰ＝１９２．１６８．１．１０  ＭＡＳＫ＝２５５．２５５．２５５．０  ＣＯＭＰ＝ＪＰＥＧ  ＦＲＡＭＥ＝１５  ＲＡＴＥ＝３０００」とであり、ＵＤＰ形式でユニキャスト通信される。
【００４３】
以上で明らかなように、この実施の形態２によれば、プロファイル記憶部１１によりネットワークプロファイルがＩＰ機器の種類別に記憶されており、設定要求受信部１３ａによりＩＰ機器１からネットワークプロファイルの設定要求のほかに、機器の種類を示す属性情報が受信された場合、プロファイル取得部１２ｄがプロファイル記憶部１１に記憶されているネットワークプロファイルのうち、ポート番号照会部１３ｂにより照会されたポート番号に対応し、かつ、その属性情報が示す機器の種類に対応するネットワークプロファイルを取得するように構成したので、種類が異なるＩＰ機器１が接続される場合でも、適正なネットワークプロファイルを自動的に設定することができる効果を奏する。
【００４４】
実施の形態３．
図１２はこの発明の実施の形態３によるネットワークシステムを示す構成図であり、図において、図１と同一符号は同一または相当部分を示すので説明を省略する。
ただし、ネットワーク装置２（ネットワーク装置＃Ｃ）は第１のネットワーク装置を構成しており、図１のネットワーク装置２と同一構成であるものとする（図２を参照）。
ネットワーク装置３（ネットワーク装置＃Ａ，＃Ｂ）は第２のネットワーク装置を構成しており、ＩＰ機器１がネットワークケーブル経由でいずれかのポートに接続されると、ネットワークプロファイルをＩＰ機器１に設定して、ＩＰネットワークを構築する装置である。
【００４５】
図１３はこの発明の実施の形態３によるネットワーク装置３を示す構成図である。
図１３において、プロファイル制御部２１はネットワーク制御部２２を介して、ネットワーク装置２のプロファイル記憶部１１に記憶されているネットワークプロファイルを収集するプロファイル収集部２１ａや、プロファイル収集部２１ａにより収集されたネットワークプロファイルを内部テーブル２１ｃに展開するプロファイル展開部２１ｂを備えているほか、ポート番号照会要求部２１ｄ、プロファイル取得部２１ｅ及びプロファイル設定応答作成部２１ｆを備えている。
ネットワーク制御部２２はＩＰネットワークに対するネットワークインタフェースであり、設定要求受信部２２ａ、ポート番号照会部２２ｂ及びプロファイル設定応答発行部２２ｃを備えている。
【００４６】
ネットワーク制御部２２の設定要求受信部２２ａはいずれかのポートに接続されたＩＰ機器１からネットワークプロファイルの設定要求を受信し、そのネットワークプロファイルの設定要求をプロファイル制御部２１に出力する処理を実施する。なお、設定要求受信部２２ａは設定要求受信手段を構成している。
【００４７】
プロファイル制御部２１のプロファイル収集部２１ａは、ネットワーク制御部２２を介して、ネットワーク装置２のプロファイル記憶部１１に記憶されているネットワークプロファイルを収集する処理を実施する。なお、プロファイル収集部２１ａはプロファイル収集手段を構成している。
【００４８】
プロファイル制御部２１のポート番号照会要求部２１ｄはネットワーク制御部２２からネットワークプロファイルの設定要求を受けると、ＩＰ機器１が接続されたポートのポート番号の照会要求をネットワーク制御部２２に出力する処理を実施する。
ネットワーク制御部２２のポート番号照会部２２ｂはプロファイル制御部２１からポート番号の照会要求を受けると、ＩＰ機器１が接続されたポートのポート番号をプロファイル制御部２１に照会する処理を実施する。
なお、ポート番号照会要求部２１ｄ及びポート番号照会部２２ｂからポート番号照会手段が構成されている。
【００４９】
プロファイル制御部２１のプロファイル取得部２１ｅは内部テーブル２１ｃに展開されているネットワークプロファイルのうち、ネットワーク制御部２２により照会されたポート番号に対応するネットワークプロファイルを取得する処理を実施する。なお、プロファイル取得部２１ｅはプロファイル取得手段を構成している。
プロファイル制御部２１のプロファイル設定応答作成部２１ｆはプロファイル取得部２１ｅにより取得されたネットワークプロファイルを示すプロファイル設定応答を作成する処理を実施する。
【００５０】
ネットワーク制御部２２のプロファイル設定応答発行部２２ｃはプロファイル制御部２１により作成されたプロファイル設定応答をＩＰ機器１に発行することにより、ネットワークプロファイルをＩＰ機器１に設定する処理を実施する。
なお、プロファイル設定応答作成部２１ｆ及びプロファイル設定応答発行部２２ｃからプロファイル設定手段が構成されている。
図１４はこの発明の実施の形態３によるネットワークシステムの処理内容を示すフローチャートである。
【００５１】
次に動作について説明する。
ネットワーク装置２（ネットワーク装置＃Ｃ）のプロファイル記憶部１１には、ＩＰネットワークの接続に必要なネットワークプロファイルが装置番号及びポート番号別に記憶されている。
図１５はネットワーク装置＃Ｃのプロファイル記憶部１１に記憶されている装置番号及びポート番号別のネットワークプロファイルの一例を示す説明図である。
図１５の例では、ＩＰアドレスとネットマスクからなるネットワークプロファイルが装置番号及びポート番号別に示されている。
例えば、ＩＰ機器＃Ａ１がポート番号１のポートに接続される場合、ＩＰ機器＃Ａ１には、ネットワークプロファイルとして、「ＩＰアドレス：１９２．１６８．１．１０」、「ネットマスク：２５５．２５５．２５５．０」が設定される。
また、ＩＰ機器＃Ｂ１がポート番号１のポートに接続される場合、ＩＰ機器＃Ｂ１には、ネットワークプロファイルとして、「ＩＰアドレス：１９２．１６８．１．２０」、「ネットマスク：２５５．２５５．２５５．０」が設定される。
【００５２】
まず、ネットワーク装置３（ネットワーク装置＃Ａ，＃Ｂ）が起動すると、プロファイル制御部２１のプロファイル収集部２１ａが、ネットワーク制御部２２を介して、ネットワーク装置＃Ｃと接続し、ネットワークプロファイルの送信要求をネットワーク装置＃Ｃに送信する。
ネットワーク装置＃Ｃのプロファイル制御部１２は、ネットワーク制御部１３がネットワーク装置＃Ａ，＃Ｂから送信されたネットワークプロファイルの送信要求を受信すると、ネットワーク制御部１３を介して、プロファイル記憶部１１に記憶されている図１５のネットワークプロファイルをネットワーク装置＃Ａ，＃Ｂに送信する。
【００５３】
ネットワーク装置＃Ａ，＃Ｂにおけるプロファイル制御部２１のプロファイル収集部２１ａは、ネットワーク制御部２２がネットワーク装置＃Ｃから送信された図１５のネットワークプロファイルを受信すると、そのネットワークプロファイルを収集する。
ネットワーク装置＃Ａ，＃Ｂにおけるプロファイル制御部２１のプロファイル展開部２１ｂは、プロファイル収集部２１ａにより収集された図１５のネットワークプロファイルを内部テーブル２１ｃに展開する（ステップＳＴ２１）。
このとき、プロファイル展開部２１ｂは、プロファイル制御部２１のネットワークインタフェース機能に対して、ＩＰアドレス「１９２．１６８．１．１」を指定する。
【００５４】
次に、いずれかのＩＰ機器１がネットワーク装置３（ネットワーク装置＃Ａ，＃Ｂ）のいずれかのポートに接続されると（ここでは、説明の便宜上、ＩＰ機器＃Ａ１がネットワーク装置＃Ａのポート番号１のポートに接続されるものとする）、ＩＰ機器＃Ａ１がＩＰネットワークのリンクを確立する（ステップＳＴ２２）。
ＩＰ機器＃Ａ１は、ＩＰネットワークのリンクを確立すると、ブロードキャスト形式でネットワークプロファイルの設定要求を発行する（ステップＳＴ２３）。
【００５５】
ネットワーク装置＃Ａにおけるネットワーク制御部２２の設定要求受信部２２ａは、ネットワーク装置＃Ａのポートに接続されたＩＰ機器＃Ａ１からネットワークプロファイルの設定要求を受信すると、そのネットワークプロファイルの設定要求をプロファイル制御部２１にブロードキャストする。
ネットワーク装置＃Ａにおけるプロファイル制御部２１のポート番号照会要求部２１ｄは、設定要求受信部２２ａからネットワークプロファイルの設定要求を受けると、ＩＰ機器＃Ａ１が接続されたポートのポート番号の照会要求をネットワーク制御部２２に出力する。
【００５６】
ネットワーク装置＃Ａにおけるネットワーク制御部２２のポート番号照会部２２ｂは、ポート番号照会要求部２１ｄからポート番号の照会要求を受けると、ＩＰ機器＃Ａ１が接続されたポートのポート番号をプロファイル制御部２１に照会する（ステップＳＴ２４）。
この実施の形態３では、ＩＰ機器＃Ａ１がポート番号１のポートに接続されているので、“ポート番号１”をプロファイル制御部２１に照会する。
【００５７】
ネットワーク装置＃Ａにおけるプロファイル制御部２１のプロファイル取得部２１ｅは、ポート番号照会部２２ｂから“ポート番号１”の照会を受けると、内部テーブル２１ｃに展開されている図１５のネットワークプロファイルのうち、ポート番号照会部２２ｂにより照会された“ポート番号１”に対応するネットワークプロファイルを取得する（ステップＳＴ２５）。
この実施の形態３では、ＩＰ機器＃Ａ１がポート番号１のポートに接続されているので、ネットワークプロファイルとして、「ＩＰアドレス：１９２．１６８．１．１０」、「ネットマスク：２５５．２５５．２５５．０」を取得する。
【００５８】
ネットワーク装置＃Ａにおけるプロファイル制御部２１のプロファイル設定応答作成部２１ｆは、プロファイル取得部２１ｅがネットワークプロファイルを取得すると、そのネットワークプロファイルを示すプロファイル設定応答を作成し、そのプロファイル設定応答をネットワーク制御部２２に出力する（ステップＳＴ２６）
【００５９】
ネットワーク装置＃Ａにおけるネットワーク制御部２２のプロファイル設定応答発行部２２ｃは、プロファイル設定応答作成部２１ｆからプロファイル設定応答を受けると、そのプロファイル設定応答をポート番号１のポートに接続されたＩＰ機器＃Ａ１に発行する（ステップＳＴ２７）。
ＩＰ機器＃Ａ１は、ネットワーク装置＃Ａにおけるネットワーク制御部２２のプロファイル設定応答発行部２２ｃにより発行されたプロファイル設定応答を受信すると、そのプロファイル設定応答が示すネットワークプロファイルを設定する（ステップＳＴ２８）。
この実施の形態３では、ネットワークプロファイルとして、「ＩＰアドレス：１９２．１６８．１．１０」、「ネットマスク：２５５．２５５．２５５．０」がＩＰ機器＃Ａ１に設定される。
【００６０】
以上で明らかなように、この実施の形態３によれば、ネットワーク装置＃Ａ，＃Ｂにおけるプロファイル制御部２１のプロファイル収集部２１ａが、ネットワーク装置＃Ｃのプロファイル記憶部１１に記憶されているネットワークプロファイルを収集するように構成しているので、プロファイル記憶部１１が実装されていないネットワーク装置＃Ａ，＃ＢがＩＰネットワークに存在している場合でも、上記実施の形態１と同様に、ＩＰ機器１のＭＡＣアドレスを調査するなどの事前準備を行うことなく、ＩＰ機器１に対するネットワークプロファイルを自動的に設定することができる効果を奏する。
【００６１】
実施の形態４．
上記実施の形態３では、ネットワーク装置＃Ａ，＃Ｂがプロファイル制御部２１を実装することで、ネットワーク装置＃Ａ，＃Ｂのプロファイル制御部２１がネットワーク装置＃Ｃのプロファイル記憶部１１に記憶されているネットワークプロファイルを収集して、そのネットワークプロファイルを示すプロファイル設定応答をＩＰ機器１に発行するものについて示したが、ネットワーク装置＃Ａ，＃Ｂがプロファイル制御部を実装せずに、ネットワーク制御部のみから構成されるようにしてもよい。
【００６２】
図１６はこの発明の実施の形態４によるネットワーク装置３を示す構成図である。
図１６において、ネットワーク制御部３１はＩＰネットワークに対するネットワークインタフェースであり、設定要求受信部３１ａ、ポート番号照会部３１ｂ及びプロファイル設定応答発行部３１ｃを備えている。
【００６３】
ネットワーク制御部３１の設定要求受信部３１ａはいずれかのポートに接続されたＩＰ機器１からネットワークプロファイルの設定要求を受信し、そのネットワークプロファイルの設定要求をネットワーク装置＃Ｃにブロードキャストする。なお、設定要求受信部３１ａは設定要求受信手段を構成している。
ネットワーク制御部３１のポート番号照会部３１ｂはネットワーク装置＃Ｃからポート番号の照会要求を受けると、ＩＰ機器１が接続されたポートのポート番号をネットワーク装置＃Ｃに照会する処理を実施する。なお、ポート番号照会部３１ｂはポート番号照会手段を構成している。
【００６４】
ネットワーク制御部３１のプロファイル設定応答発行部３１ｃはネットワーク装置＃Ｃにより作成されたプロファイル設定応答をＩＰ機器１に発行することにより、ネットワークプロファイルをＩＰ機器１に設定する処理を実施する。なお、プロファイル設定応答発行部３１ｃはプロファイル設定手段を構成している。
図１７はこの発明の実施の形態４によるネットワークシステムの処理内容を示すフローチャートである。
【００６５】
次に動作について説明する。
ネットワーク装置２（ネットワーク装置＃Ｃ）のプロファイル記憶部１１には、ＩＰネットワークの接続に必要な図１５のネットワークプロファイルが記憶されている。
ネットワーク装置＃Ｃが起動すると、プロファイル制御部１２のプロファイル展開部１２ａが、プロファイル記憶部１１に記憶されている図１５のネットワークプロファイルを内部テーブル１２ｂに展開する（ステップＳＴ３１）。
【００６６】
次に、いずれかのＩＰ機器１がネットワーク装置３（ネットワーク装置＃Ａ，＃Ｂ）のいずれかのポートに接続されると（ここでは、説明の便宜上、ＩＰ機器＃Ａ１がネットワーク装置＃Ａのポート番号１のポートに接続されるものとする）、ＩＰ機器＃Ａ１がＩＰネットワークのリンクを確立する（ステップＳＴ３２）。
ＩＰ機器＃Ａ１は、ＩＰネットワークのリンクを確立すると、ブロードキャスト形式でネットワークプロファイルの設定要求を発行する（ステップＳＴ３３）。
【００６７】
ネットワーク装置＃Ａにおけるネットワーク制御部３１の設定要求受信部３１ａは、ネットワーク装置＃Ａのポートに接続されたＩＰ機器＃Ａ１からネットワークプロファイルの設定要求を受信すると、そのネットワークプロファイルの設定要求をネットワーク装置＃Ｃにブロードキャストする。
ネットワーク装置＃Ｃにおけるネットワーク制御部１３の設定要求受信部１３ａは、ネットワーク装置＃Ａからブロードキャストされたネットワークプロファイルの設定要求を受信し、そのネットワークプロファイルの設定要求をプロファイル制御部１２に出力する。
【００６８】
ネットワーク装置＃Ｃにおけるプロファイル制御部１２のポート番号照会要求部１２ｃは、設定要求受信部１３ａからネットワークプロファイルの設定要求を受けると、ネットワーク制御部１３を介して、ＩＰ機器＃Ａ１が接続されたポートのポート番号の照会要求をネットワーク装置＃Ａに送信する。
ネットワーク装置＃Ａにおけるネットワーク制御部３１のポート番号照会部３１ｂは、ネットワーク装置＃Ｃからポート番号の照会要求を受けると、ＩＰ機器＃Ａ１が接続されたポートのポート番号をネットワーク装置＃Ｃに照会する（ステップＳＴ３４）。
この実施の形態３では、ＩＰ機器＃Ａ１がポート番号１のポートに接続されているので、“ポート番号１”をネットワーク装置＃Ｃに照会する。
【００６９】
ネットワーク装置＃Ｃにおけるプロファイル制御部１２のプロファイル取得部１２ｄは、ネットワーク装置＃Ａから“ポート番号１”の照会を受けると、内部テーブル１２ｂに展開されている図１５のネットワークプロファイルのうち、ネットワーク装置＃Ａにより照会された“ポート番号１”に対応するネットワークプロファイルを取得する（ステップＳＴ３５）。
この実施の形態４では、ＩＰ機器＃Ａ１がポート番号１のポートに接続されているので、ネットワークプロファイルとして、「ＩＰアドレス：１９２．１６８．１．１０」、「ネットマスク：２５５．２５５．２５５．０」を取得する。
【００７０】
ネットワーク装置＃Ａにおけるプロファイル制御部１２のプロファイル設定応答作成部１２ｅは、プロファイル取得部１２ｄがネットワークプロファイルを取得すると、そのネットワークプロファイルを示すプロファイル設定応答を作成し、ネットワーク制御部１３を介して、そのプロファイル設定応答をネットワーク装置＃Ａに送信する（ステップＳＴ３６）
【００７１】
ネットワーク装置＃Ａにおけるネットワーク制御部３１のプロファイル設定応答発行部３１ｃは、ネットワーク装置＃Ａから送信されたプロファイル設定応答を受信すると、そのプロファイル設定応答をポート番号１のポートに接続されたＩＰ機器＃Ａ１に発行する（ステップＳＴ３７）。
ＩＰ機器＃Ａ１は、ネットワーク装置＃Ａにおけるネットワーク制御部３１のプロファイル設定応答発行部３１ｃにより発行されたプロファイル設定応答を受信すると、そのプロファイル設定応答が示すネットワークプロファイルを設定する（ステップＳＴ３８）。
この実施の形態４では、ネットワークプロファイルとして、「ＩＰアドレス：１９２．１６８．１．１０」、「ネットマスク：２５５．２５５．２５５．０」がＩＰ機器＃Ａ１に設定される。
【００７２】
以上で明らかなように、この実施の形態４によれば、ネットワーク装置＃Ａ，＃Ｂがプロファイル制御部を実装せずに、ネットワーク制御装置３１のみから構成される場合でも、上記実施の形態１と同様に、ＩＰ機器１のＭＡＣアドレスを調査するなどの事前準備を行うことなく、ＩＰ機器１に対するネットワークプロファイルを自動的に設定することができる効果を奏する。
【００７３】
実施の形態５．
図１８はこの発明の実施の形態５によるネットワークシステムを示す構成図である。
上記実施の形態３，４では、ＩＰ機器１がネットワークプロファイルの設定要求を発行する際、ＩＰ機器１の種類を示す属性情報については発行していないが、図１８のＩＰ機器＃Ａ１，＃Ａ２，＃Ｂ１，＃Ｂ２は、ネットワークプロファイルの設定要求を発行する際、機器の種類を示す属性情報を発行する。
即ち、ＩＰ機器＃Ａ１，＃Ｂ１は、機器の種類が「ＣＡＭＥＲＡ」である旨を示す属性情報を発行し、ＩＰ機器＃Ａ２，＃Ｂ２は、機器の種類が「ＶＩＥＷＥＲ」である旨を示す属性情報を発行する。
【００７４】
また、上記実施の形態３，４では、ネットワーク装置＃Ｃのプロファイル記憶部１１によりネットワークプロファイルが記憶されているものについて示したが、この実施の形態５では、ネットワーク装置＃Ｃのプロファイル記憶部１１によりＩＰ機器の種類別のネットワークプロファイルが記憶されているものとする。
図１９はネットワーク装置＃Ｃのプロファイル記憶部１１に記憶されているＩＰ機器の種類別のネットワークプロファイルの一例を示す説明図である。
【００７５】
図１９の例では、機器の種類が「ＣＡＭＥＲＡ」用のネットワークプロファイルと、機器の種類が「ＶＩＥＷＥＲ」用のネットワークプロファイルとが示されている。
例えば、機器の種類が「ＣＡＭＥＲＡ」であるＩＰ機器＃Ａ１がポート番号１のポートに接続される場合、ＩＰ機器＃Ａ１には、ネットワークプロファイルとして、「圧縮方式：ＪＰＥＧ」、「フレームレート：１５」、「伝送レート：３０００」が設定される。
また、機器の種類が「ＶＩＥＷＥＲ」であるＩＰ機器＃Ｂ２がポート番号２のポートに接続される場合、ＩＰ機器＃Ｂ２には、ネットワークプロファイルとして、「起動モード：４」が設定される。
【００７６】
なお、図１９では記載を省略しているが、ネットワーク装置＃Ｃのプロファイル記憶部１１は、図１５と同様に、ＩＰアドレスとネットマスクからなるネットワークプロファイルについてもポート番号別に記憶している。
したがって、例えば、ＩＰ機器＃Ａ１がポート番号１のポートに接続される場合、ＩＰ機器＃Ａ１には、ネットワークプロファイルとして、「ＩＰアドレス：１９２．１６８．１．１０」、「ネットマスク：２５５．２５５．２５５．０」が設定される。
また、ＩＰ機器＃Ｂ１がポート番号１のポートに接続される場合、ＩＰ機器＃Ｂ１には、ネットワークプロファイルとして、「ＩＰアドレス：１９２．１６８．１．２０」、「ネットマスク：２５５．２５５．２５５．０」が設定される。
【００７７】
この実施の形態５では、ネットワーク装置＃Ａ，＃Ｂのプロファイル取得部２１ｅ（または、ネットワーク装置＃Ｃのプロファイル取得部１２ｄ）が、ＩＰ機器が接続されているポートのポート番号に対応するネットワークプロファイルだけでなく、属性情報が示す機器の種類に対応するネットワークプロファイルを取得する点以外は上記実施の形態３，４と同様である。
属性情報が示す機器の種類に対応するネットワークプロファイルを取得する処理内容は上記実施の形態２と同様であるため説明を省略する。
この実施の形態５によれば、種類が異なるＩＰ機器１が接続される場合でも、適正なネットワークプロファイルを自動的に設定することができる効果を奏する。
【図面の簡単な説明】
【００７８】
【図１】この発明の実施の形態１によるネットワークシステムを示す構成図である。
【図２】この発明の実施の形態１によるネットワーク装置を示す構成図である。
【図３】この発明の実施の形態１によるネットワークシステムの処理内容を示すフローチャートである。
【図４】プロファイル記憶部１１に記憶されているポート番号別のネットワークプロファイルの一例を示す説明図である。
【図５】ＩＰ機器＃１から発行されるネットワークプロファイルの設定要求の一例を示す説明図である。
【図６】ネットワーク制御部１３のプロファイル設定応答発行部１３ｃから発行されるプロファイル設定応答の一例を示す説明図である。
【図７】この発明の実施の形態２によるネットワークシステムを示す構成図である。
【図８】この発明の実施の形態２によるネットワークシステムの処理内容を示すフローチャートである。
【図９】プロファイル記憶部１１に記憶されているＩＰ機器の種類別のネットワークプロファイルの一例を示す説明図である。
【図１０】ＩＰ機器＃１から発行されるネットワークプロファイルの設定要求の一例を示す説明図である。
【図１１】ネットワーク制御部１３のプロファイル設定応答発行部１３ｃから発行されるプロファイル設定応答の一例を示す説明図である。
【図１２】この発明の実施の形態３によるネットワークシステムを示す構成図である。
【図１３】この発明の実施の形態３によるネットワーク装置を示す構成図である。
【図１４】この発明の実施の形態３によるネットワークシステムの処理内容を示すフローチャートである。
【図１５】ネットワーク装置＃Ｃのプロファイル記憶部１１に記憶されている装置番号及びポート番号別のネットワークプロファイルの一例を示す説明図である。
【図１６】この発明の実施の形態４によるネットワーク装置を示す構成図である。
【図１７】この発明の実施の形態４によるネットワークシステムの処理内容を示すフローチャートである。
【図１８】この発明の実施の形態５によるネットワークシステムを示す構成図である。
【図１９】ネットワーク装置＃Ｃのプロファイル記憶部１１に記憶されているＩＰ機器の種類別のネットワークプロファイルの一例を示す説明図である。
【符号の説明】
【００７９】
１  ＩＰ機器、２  ネットワーク装置（第１のネットワーク装置）、３  ネットワーク装置（第２のネットワーク装置）、１１  プロファイル記憶部（プロファイル記憶手段）、１２  プロファイル制御部、１２ａ  プロファイル展開部、１２ｂ  内部テーブル、１２ｃ  ポート番号照会要求部（ポート番号照会手段）、１２ｄ  プロファイル取得部（プロファイル取得手段）、１２ｅ  プロファイル設定応答作成部（プロファイル設定手段）、１３  ネットワーク制御部、１３ａ  設定要求受信部（設定要求受信手段）、１３ｂ  ポート番号照会部（ポート番号照会手段）、１３ｃ  プロファイル設定応答発行部（プロファイル設定手段）、２１  プロファイル制御部、２１ａ  プロファイル収集部（プロファイル収集手段）、２１ｂ  プロファイル展開部、２１ｃ  内部テーブル、２１ｄ  ポート番号照会要求部（ポート番号照会手段）、２１ｅ  プロファイル取得部（プロファイル取得手段）、２１ｆ  プロファイル設定応答作成部（プロファイル設定手段）、２２  ネットワーク制御部、２２ａ  設定要求受信部（設定要求受信手段）、２２ｂ  ポート番号照会部（ポート番号照会手段）、２２ｃ  プロファイル設定応答発行部（プロファイル設定手段）、３１  ネットワーク制御部、３１ａ  設定要求受信部（設定要求受信手段）、３１ｂ  ポート番号照会部（ポート番号照会手段）、３１ｃ  プロファイル設定応答発行部（プロファイル設定手段）。
【図１】
2010068110.tif 000003
【図２】
2010068110.tif 000004
【図３】
2010068110.tif 000005
【図４】
2010068110.tif 000006
【図５】
2010068110.tif 000007
【図６】
2010068110.tif 000008
【図７】
2010068110.tif 000009
【図８】
2010068110.tif 000010
【図９】
2010068110.tif 000011
【図１０】
2010068110.tif 000012
【図１１】
2010068110.tif 000013
【図１２】
2010068110.tif 000014
【図１３】
2010068110.tif 000015
【図１４】
2010068110.tif 000016
【図１５】
2010068110.tif 000017
【図１６】
2010068110.tif 000018
【図１７】
2010068110.tif 000019
【図１８】
2010068110.tif 000020
【図１９】
2010068110.tif 000021